(57)【特許請求の範囲】
【請求項１】
端末が無線通信システムにおけるトラフィックステアリングのための条件を評価する方法であって、前記端末は、３ＧＰＰ（３ｒｄ  ｇｅｎｅｒａｔｉｏｎ  ｐａｒｔｎｅｒｓｈｉｐ  ｐｒｏｊｅｃｔ）アクセスネットワークとＷＬＡＮ（Ｗｉｒｅｌｅｓｓ  Ｌｏｃａｌ  Ａｒｅａ  Ｎｅｔｗｏｒｋ）との間の前記トラフィックステアリングの能力を有し、前記端末は、ＰＣｅｌｌ（Ｐｒｉｍａｒｙ  Ｃｅｌｌ）を含む複数のサービングセルで構成される、方法において、
前記端末が、前記３ＧＰＰアクセスネットワークから少なくとも１つのＷＬＡＮ識別子を含むシグナリングを受信するステップと、
前記端末が、ＲＡＮ（ｒａｄｉｏ  ａｃｃｅｓｓ  ｎｅｔｗｏｒｋ）補助情報を受信するステップと、
前記端末が、前記端末にＷＬＡＮ識別子がシグナリングされたＷＬＡＮに対してのみ適用可能な、前記受信されたＲＡＮ補助情報に基づいて、前記ＰＣｅｌｌに対してのみ前記トラフィックステアリングのための条件を評価するステップと、
前記トラフィックステアリングのための条件が前記ＰＣｅｌｌに対して満たされる場合、前記端末が、前記複数のサービングセルの１つ以上と、前記受信されたシグナリング中のＷＬＡＮ識別子によって識別されるＷＬＡＮとの間で前記トラフィックステアリングを行うステップと、を含み、
前記ＲＡＮ補助情報は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎｓ）ポリシーが前記端末に適用されない場合に適用可能である、方法。
【請求項２】
前記複数のサービングセルは、キャリアアグリゲーションにより構成される少なくとも１つのＳＣｅｌｌ（ｓｅｃｏｎｄａｒｙ  ｃｅｌｌ）を含む、請求項１に記載の方法。
【請求項３】
前記トラフィックステアリングのための条件が評価された前記ＰＣｅｌｌは、ＭｅＮＢ（ｍａｓｔｅｒ  ｅｖｏｌｖｅｄ  ＮｏｄｅＢ）のＰＣｅｌｌであり、前記複数のサービングセルは、二重接続によって構成されたＳｅＮＢ（ｓｅｃｏｎｄａｒｙ  ｅＮＢ）の少なくとも１つのセルを含む、請求項１又は２に記載の方法。
【請求項４】
前記ＲＡＮ補助情報は、前記３ＧＰＰアクセスネットワークの放送シグナリングまたは専用シグナリングを介して受信される、請求項１〜３のいずれか一項に記載の方法。
【請求項５】
前記トラフィックステアリングが行われた前記複数のサービングセルの１つ以上は、前記ＰＣｅｌｌを含む、請求項１〜４のいずれか一項に記載の方法。
【請求項６】
前記トラフィックステアリングが行われた前記複数のサービングセルの１つ以上は、前記ＰＣｅｌｌ以外のサービングセルを含む、請求項１〜５のいずれか一項に記載の方法。
【請求項７】
前記受信されたシグナリング中のそれぞれのＷＬＡＮ識別子は、ＳＳＩＤ（Ｓｅｒｖｉｃｅ  Ｓｅｔ  ＩＤ）、ＢＳＳＩＤ（Ｂａｓｉｃ  Ｓｅｒｖｉｃｅ  Ｓｅｔ  ＩＤ）、及びＨＥＳＳＩＤ（Ｈｏｍｏｇｅｎｅｏｕｓ  Ｅｘｔｅｎｄｅｄ  Ｓｅｒｖｉｃｅ  Ｓｅｔ  ＩＤ）の１つである、請求項１〜６のいずれか一項に記載の方法。
【請求項８】
無線通信システムにおける端末であって、前記端末は、３ＧＰＰ（３ｒｄ  ｇｅｎｅｒａｔｉｏｎ  ｐａｒｔｎｅｒｓｈｉｐ  ｐｒｏｊｅｃｔ）アクセスネットワークとＷＬＡＮ（Ｗｉｒｅｌｅｓｓ  Ｌｏｃａｌ  Ａｒｅａ  Ｎｅｔｗｏｒｋ）との間のトラフィックステアリングの能力を有し、前記端末は、ＰＣｅｌｌ（Ｐｒｉｍａｒｙ  Ｃｅｌｌ）を含む複数のサービングセルで構成される、端末において、
メモリと、
トランシーバと、
前記メモリ及び前記トランシーバと動作可能に連結されたプロセッサであって、
前記３ＧＰＰアクセスネットワークから少なくとも１つのＷＬＡＮ識別子を含むシグナリングを受信するために前記トランシーバを制御し、
ＲＡＮ（Ｒａｄｉｏ  Ａｃｃｅｓｓ  Ｎｅｔｗｏｒｋ）補助情報を受信するために前記トランシーバを制御し、
前記端末にＷＬＡＮ識別子がシグナリングされたＷＬＡＮに対してのみ適用可能な、前記受信されたＲＡＮ補助情報に基づいて、前記ＰＣｅｌｌ（ｐｒｉｍａｒｙ  ｃｅｌｌ）に対してのみトラフィックステアリングのための条件を評価し、
前記トラフィックステアリングのための条件が前記ＰＣｅｌｌに対して満たされる場合、前記複数のサービングセルの１つ以上と、前記受信されたシグナリング中のＷＬＡＮ識別子によって識別されるＷＬＡＮとの間で前記トラフィックステアリングを行う、プロセッサと、を備え、
前記ＲＡＮ補助情報は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎｓ）ポリシーが前記端末に適用されない場合に適用可能である、端末。
【請求項９】
前記複数のサービングセルは、キャリアアグリゲーションにより構成される少なくとも１つのＳＣｅｌｌ（ｓｅｃｏｎｄａｒｙ  ｃｅｌｌ）を含む、請求項８に記載の端末。
【請求項１０】
前記トラフィックステアリングのための条件が評価された前記ＰＣｅｌｌは、ＭｅＮＢ（ｍａｓｔｅｒ  ｅｖｏｌｖｅｄ  ＮｏｄｅＢ）のＰＣｅｌｌであり、前記複数のサービングセルは、二重接続によって構成されたＳｅＮＢ（ｓｅｃｏｎｄａｒｙ  ｅＮＢ）の少なくとも１つのセルを含む、請求項８又は９に記載の端末。
【請求項１１】
前記ＲＡＮ補助情報は、前記３ＧＰＰアクセスネットワークの放送シグナリングまたは専用シグナリングを介して受信される、請求項８〜１０のいずれか一項に記載の端末。
【請求項１２】
前記トラフィックステアリングが行われた前記複数のサービングセルの１つ以上は、前記ＰＣｅｌｌを含む、請求項８〜１１のいずれか一項に記載の端末。
【請求項１３】
前記トラフィックステアリングが行われた前記複数のサービングセルの１つ以上は、前記ＰＣｅｌｌ以外のサービングセルを含む、請求項８〜１２のいずれか一項に記載の端末。
【請求項１４】
前記受信されたシグナリング中のそれぞれのＷＬＡＮ識別子は、ＳＳＩＤ（Ｓｅｒｖｉｃｅ  Ｓｅｔ  ＩＤ）、ＢＳＳＩＤ（Ｂａｓｉｃ  Ｓｅｒｖｉｃｅ  Ｓｅｔ  ＩＤ）、及びＨＥＳＳＩＤ（Ｈｏｍｏｇｅｎｅｏｕｓ  Ｅｘｔｅｎｄｅｄ  Ｓｅｒｖｉｃｅ  Ｓｅｔ  ＩＤ）の１つである、請求項８〜１３のいずれか一項に記載の端末。
【発明の詳細な説明】
【技術分野】
【０００１】
本発明は、無線通信に関し、より詳細には、無線通信システムにおけるキャリアアグリゲーション（ＣＡ；ｃａｒｒｉｅｒ  ａｇｇｒｅｇａｔｉｏｎ、搬送波集成）と二重接続（ＤＣ；ｄｕａｌ  ｃｏｎｎｅｃｔｉｖｉｔｙ、二重連結）のためのトラフィックステアリング（ｔｒａｆｆｉｃ  ｓｔｅｅｒｉｎｇ、トラフィック操縦）を行う方法及び装置に関する。
【背景技術】
【０００２】
３ＧＰＰ  ＬＴＥは、高速パケット通信を可能にするための技術である。ＬＴＥの目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
３ＧＰＰ  ＬＴＥは、キャリアアグリゲーション（ＣＡ；ｃａｒｒｉｅｒ  ａｇｇｒｅｇａｔｉｏｎ）を構成できる。ＣＡにおいて、１００ＭＨｚまでの広い送信帯域幅をサポートするために、２つまたはそれ以上のコンポーネントキャリア（ＣＣ；ｃｏｍｐｏｎｅｎｔ  ｃａｒｒｉｅｒ、構成搬送波）がアグリゲート（ａｇｇｒｅｇａｔｅ、集成）される。端末（ＵＥ；ｕｓｅｒ  ｅｑｕｉｐｍｅｎｔ）は、能力によって１つまたは複数のＣＣ上に同時に送信または受信されることができる。ＣＡにおいて、１つのＰＣｅｌｌ（ｐｒｉｍａｒｙ  ｃｅｌｌ）及び少なくとも１つのＳＣｅｌｌ（ｓｅｃｏｎｄａｒｙ  ｃｅｌｌ）が構成され得る。
【０００４】
低電力ノードは、モバイルトラフィック急増に対処するのに有望なものと考慮される（特に、室内及び室外のホットスポット構築）。低電力ノードとは、一般に送信電力がマクロノード及び基地局のような種類より少ないノードを意味する。例えば、ピコｅＮＢ（ｅｖｏｌｖｅｄ  ＮｏｄｅＢ）及びフェムトｅＮＢがこれに該当する。Ｅ−ＵＴＲＡ（ｅｖｏｌｖｅｄ  ＵＭＴＳ  ｔｅｒｒｅｓｔｒｉａｌ  ｒａｄｉｏ  ａｃｃｅｓｓ）及びＥ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）のスモールセル向上は、室内及び室外のホットスポット区域で低電力ノードを用いて性能を向上させる追加的な機能性に焦点を置くであろう。
【０００５】
スモールセル向上のための潜在的な解決策の１つとして、二重接続（ｄｕａｌ  ｃｏｎｎｅｃｔｉｖｉｔｙ）が議論されている。二重接続は、与えられた端末が非理想的なバックホール（ｂａｃｋｈａｕｌ）で接続された少なくとも２つの互いに異なるネットワーク地点から提供される無線資源を消費する動作を呼ぶのに使用される。さらに、端末のための二重接続に関与する各ｅＮＢは、互いに異なる役割を仮定できる。その役割は、ｅＮＢの電力等級に依存する必要がなく、端末間で異なる場合がある。
【０００６】
３ＧＰＰ／ＷＬＡＮ（ｗｉｒｅｌｅｓｓ  ｌｏｃａｌ  ａｒｅａ  ｎｅｔｗｏｒｋ）インターワーキング（ｉｎｔｅｒｗｏｒｋｉｎｇ、連動）が議論された。３ＧＰＰ／ＷＬＡＮインターワーキングは、トラフィックステアリング（ｔｒａｆｆｉｃ  ｓｔｅｅｒｉｎｇ）と呼ばれることができる。３ＧＰＰ  ＬＴＥのｒｅｌ−８から、非３ＧＰＰアクセス（例えば、ＷＬＡＮ）とのインターワーキングが導入される間、アクセスネットワークを検出し、選択するためのＡＮＤＳＦ（ａｃｃｅｓｓ  ｎｅｔｗｏｒｋ  ｄｉｓｃｏｖｅｒｙ  ａｎｄ  ｓｅｌｅｃｔｉｏｎ  ｆｕｎｃｔｉｏｎｓ）が規格化された。ＡＮＤＳＦは、端末（ＵＥ；ｕｓｅｒ  ｅｑｕｉｐｍｅｎｔ）の位置でアクセス可能なアクセスネットワークの検出情報（例えば、ＷＬＡＮ、ＷｉＭＡＸ位置情報等）、事業者のポリシー（ｐｏｌｉｃｙ、政策）を反映できるＩＳＭＰ（ｉｎｔｅｒ−ｓｙｓｔｅｍ  ｍｏｂｉｌｉｔｙ  ｐｏｌｉｃｉｅｓ）、及びＩＳＲＰ（ｉｎｔｅｒ−ｓｙｓｔｅｍ  ｒｏｕｔｉｎｇ  ｐｏｌｉｃｙ）を伝達できる。前述された情報に基づいて、ＵＥは、どのＩＰ（Ｉｎｔｅｒｎｅｔ  ｐｒｏｔｏｃｏｌ）トラフィックがどのアクセスネットワークを介して送信されるかを決定できる。ＩＳＭＰは、ＵＥが１つの活性アクセスネットワーク接続（例えば、ＷＬＡＮまたは３ＧＰＰ）を選択するネットワーク選択規則を含むことができる。ＩＳＲＰは、ＵＥが１つ以上の可能な活性アクセスネットワーク接続（例えば、ＷＬＡＮ及び３ＧＰＰ）を選択するネットワーク選択規則を含むことができる。ＩＳＲＰは、ＭＡＰＣＯＮ（ｍｕｌｔｉｐｌｅ  ａｃｃｅｓｓ  ＰＤＮ  ｃｏｎｎｅｃｔｉｖｉｔｙ）、ＩＦＯＭ（ＩＰ  ｆｌｏｗ  ｍｏｂｉｌｉｔｙ）、及び非シームレス（ｎｏｎ−ｓｅａｍｌｅｓｓ）ＷＬＡＮオフロードを含むことができる。ＡＮＤＳＦと端末との間の動的な伝達（ｄｙｎａｍｉｃ  ｐｒｏｖｉｓｉｏｎ）のために、ＯＭＡ（ｏｐｅｎ  ｍｏｂｉｌｅ  ａｌｌｉａｎｃｅ）  ＤＭ（ｄｅｖｉｃｅ  ｍａｎａｇｅｍｅｎｔ）が使用され得る。
【０００７】
複数のサービングセルがＣＡまたはＤＣにより構成される場合、３ＧＰＰ／ＷＬＡＮ間にトラフィックステアリングと関連したＵＥ動作が明確に定義される必要がある。
【発明の概要】
【発明が解決しようとする課題】
【０００８】
本発明は、無線通信システムにおけるキャリアアグリゲーション（ＣＡ；ｃａｒｒｉｅｒ  ａｇｇｒｅｇａｔｉｏｎ）と二重接続（ＤＣ；ｄｕａｌ  ｃｏｎｎｅｃｔｉｖｉｔｙ）のためのトラフィックステアリングを行う方法及び装置を提供する。本発明は、複数のサービングセルがＣＡまたはＤＣにより構成される場合、サービングセルとＷＬＡＮ（ｗｉｒｅｌｅｓｓ  ｌｏｃａｌ  ａｒｅａ  ｎｅｔｗｏｒｋ）との間でトラフィックステアリングを行う方法及び装置を提供する。本発明は、複数のサービングセルがＣＡまたはＤＣにより構成される場合、特定サービングセルに対してトラフィックステアリングのための条件を評価する方法及び装置を提供する。
【課題を解決するための手段】
【０００９】
一態様において、端末（ＵＥ）が無線通信システムにおけるトラフィックステアリング（ｔｒａｆｆｉｃ  ｓｔｅｅｒｉｎｇ）のための条件を評価する方法が提供される。前記方法は、ＰＣｅｌｌ（ｐｒｉｍａｒｙ  ｃｅｌｌ）上でＲＡＮ（ｒａｄｉｏ  ａｃｃｅｓｓ  ｎｅｔｗｏｒｋ）補助情報を受信するステップと、前記受信されたＲＡＮ補助情報に基づいて、前記ＰＣｅｌｌに対してのみトラフィックステアリングのための条件を評価するステップと、を含む。
【００１０】
前記端末は、キャリアアグリゲーションにより前記ＰＣｅｌｌと少なくとも１つのＳＣｅｌｌ（ｓｅｃｏｎｄａｒｙ  ｃｅｌｌ）とで構成されることができる。
【００１１】
前記端末は、二重接続によりＭｅＮＢ（ｍａｓｔｅｒ  ｅｖｏｌｖｅｄ  ＮｏｄｅＢ）の前記ＰＣｅｌｌとＳｅＮＢ（ｓｅｃｏｎｄａｒｙ  ｅＮＢ）のＰＳＣｅｌｌ（ｐｒｉｍａｒｙ  ＳＣｅｌｌ）とで構成されることができる。
【００１２】
前記ＲＡＮ補助情報は、放送シグナリングまたは専用（ｄｅｄｉｃａｔｅｄ）シグナリングを介して受信されることができる。
【００１３】
前記方法は、前記トラフィックステアリングのための条件が前記ＰＣｅｌｌに対して満たされる場合、サービングセルとＷＬＡＮ（ｗｉｒｅｌｅｓｓ  ｌｏｃａｌ  ａｒｅａ  ｎｅｔｗｏｒｋ）との間でトラフィックステアリングを行うステップをさらに含むことができる。前記サービングセルは、前記ＰＣｅｌｌでありうる。前記サービングセルは、前記ＰＣｅｌｌでない、他のサービングセルでありうる。
【００１４】
他の態様において、無線通信システムにおける端末（ＵＥ）によるトラフィックステアリング（ｔｒａｆｆｉｃ  ｓｔｅｅｒｉｎｇ）を行う方法が提供される。前記方法は、複数のサービングセルの各々に対するＲＡＮ（ｒａｄｉｏ  ａｃｃｅｓｓ  ｎｅｔｗｏｒｋ）補助情報を受信するステップと、前記複数のサービングセルのうち、１つのサービングセルとＷＬＡＮ（ｗｉｒｅｌｅｓｓ  ｌｏｃａｌ  ａｒｅａ  ｎｅｔｗｏｒｋ）との間でトラフィックステアリングを行うステップと、を含む。
【発明の効果】
【００１５】
複数のサービングセルがＣＡまたはＤＣにより構成される場合、トラフィックステアリングと関連した端末動作が明らかになり得る。
【図面の簡単な説明】
【００１６】
【図１】ＬＴＥシステムの構造を示す。
【図２】一般的なＥ−ＵＴＲＡＮ及びＥＰＣの構造のブロック図である。
【図３】ＬＴＥシステムのユーザプレーンプロトコルスタックのブロック図である。
【図４】ＬＴＥシステムの制御プレーンプロトコルスタックのブロック図である。
【図５】物理チャネル構造の一例を示す。
【図６】本発明の一実施形態に係るトラフィックステアリングのための方法の一例を図示する。
【図７】本発明の一実施形態に係るトラフィックステアリングのための方法の他の例を図示する。
【図８】本発明の一実施形態に係るトラフィックステアリングのための方法の他の例を図示する。
【図９】本発明の一実施形態に係るトラフィックステアリングのための条件を評価するための方法の一例を図示する。
【図１０】本発明の一実施形態に係るＲＡＮ補助情報を扱うための方法の一実施形態を図示する。
【図１１】本発明の実施形態が実現される無線通信システムを示す。
【発明を実施するための形態】
【００１７】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術で実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（ｅｖｏｌｖｅｄ  ＵＴＲＡ）などのような無線技術で実現されることができる。ＩＥＥＥ８０２．１６ｍは、ＩＥＥＥ８０２．１６ｅの進化であり、ＩＥＥＥ８０２．１６に基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００１８】
説明を明確にするために、ＬＴＥ−Ａを中心に記述するが、本発明の技術的特徴がこれに制限されるものではない。
【００１９】
図１は、ＬＴＥシステムの構造を示す。通信ネットワークは、ＩＭＳ及びパケットデータを介したインターネット電話（Ｖｏｉｃｅ  ｏｖｅｒ  ｉｎｔｅｒｎｅｔ  ｐｒｏｔｏｃｏｌ：ＶｏＩＰ）のような様々な通信サービスを提供するために広く設置される。
【００２０】
図１に示すように、ＬＴＥシステム構造は、１つ以上の端末（ＵＥ）１０、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）、及びＥＰＣ（ｅｖｏｌｖｅｄ  ｐａｃｋｅｔ  ｃｏｒｅ）を含む。端末１０は、ユーザにより持ち運ばれる通信装置である。端末１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）等、他の用語で呼ばれることもある。
【００２１】
Ｅ−ＵＴＲＡＮは、１つ以上のｅＮＢ（ｅｖｏｌｖｅｄ  ｎｏｄｅ−Ｂ）２０を含み、１つのセルに複数のＵＥが存在することができる。ｅＮＢ２０は、制御プレーン（ｃｏｎｔｒｏｌ  ｐｌａｎｅ）とユーザプレーン（ｕｓｅｒ  ｐｌａｎｅ）の終端点をＵＥに提供する。ｅＮＢ２０は、一般的にＵＥ１０と通信する固定局（ｆｉｘｅｄ  ｓｔａｔｉｏｎ）をいい、ＢＳ（ｂａｓｅ  ｓｔａｔｉｏｎ）、アクセスポイント（ａｃｃｅｓｓ  ｐｏｉｎｔ）など、他の用語で呼ばれることがある。１つのｅＮＢ２０はセル毎に配置できる。
【００２２】
以下、ＤＬは、ｅＮＢ２０からＵＥ１０への通信を意味し、ＵＬは、ＵＥ１０からｅＮＢ２０への通信を意味する。ＤＬで送信機は、ｅＮＢ２０の一部であり、受信機は、ＵＥ１０の一部でありうる。ＵＬで送信機は、ＵＥ１０の一部であり、受信機は、ｅＮＢ２０の一部でありうる。
【００２３】
ＥＰＣは、ＭＭＥ（ｍｏｂｉｌｉｔｙ  ｍａｎａｇｅｍｅｎｔ  ｅｎｔｉｔｙ）とＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含む。ＭＭＥ／Ｓ−ＧＷ３０はネットワークの終端に位置し、外部ネットワークと接続できる。明確性のためにＭＭＥ／Ｓ−ＧＷ３０を“ゲートウェイ”と単純に表現し、これは、ＭＭＥ及びＳ−ＧＷを全て含むことができる。
【００２４】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ（ｓｅｃｕｒｉｔｙ、保安）、ＡＳ（ａｃｃｅｓｓ  ｓｔｒａｔｕｍ）セキュリティ制御、３ＧＰＰアクセスネットワーク間の移動性のためのｉｎｔｅｒ  ＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードであるＵＥのために）、Ｐ−ＧＷ（ＰＤＮ（ｐａｃｋｅｔ  ｄａｔａ  ｎｅｔｗｏｒｋ）ｇａｔｅｗａｙ）及びＳ−ＧＷ選択、ＭＭＥ変更を伴うハンドオーバーのためのＭＭＥ選択、２Ｇまたは３Ｇ  ３ＧＰＰアクセスネットワークへのハンドオーバーのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含んだベアラ管理機能、ＰＷＳ（ｐｕｂｌｉｃ  ｗａｒｎｉｎｇ  ｓｙｓｔｅｍ：地震／津波警報システム（ＥＴＷＳ）、及び商用モバイル警報システム（ＣＭＡＳ）を含む）メッセージ送信サポートなどの様々な機能を提供する。Ｓ−ＧＷホストは、ユーザ毎ベースの（ｐｅｒ−ｕｓｅｒ  ｂａｓｅｄ）パケットフィルタリング（例えば、ディープパケットインスペクション（ｄｅｅｐ  ｐａｃｋｅｔ  ｉｎｓｐｅｃｔｉｏｎ）を通じて）、合法的傍受（ｌａｗｆｕｌ  ｉｎｔｅｒｃｅｐｔｉｏｎ）、端末ＩＰ（ｉｎｔｅｒｎｅｔ  ｐｒｏｔｏｃｏｌ）アドレス割当、ＤＬにおける送信レベルパケットマーキング、ＵＬ／ＤＬサービスレベル課金、ゲーティング及びレートエンフォースメント（ｒａｔｅ  ｅｎｆｏｒｃｅｍｅｎｔ、等級強制）、ＡＰＮ−ＡＭＢＲ（ａｃｃｅｓｓ  ｐｏｉｎｔ  ｎａｍｅ  ａｇｇｒｅｇａｔｅ  ｍａｘｉｍｕｍ  ｂｉｔ  ｒａｔｅ）に基づいたＤＬレートエンフォースメントを含む、分類された（ａｓｓｏｒｔｅｄ）機能を提供する。
【００２５】
ユーザトラフィック送信または制御トラフィック送信のためのインターフェースが使用できる。ＵＥ１０及びｅＮＢ２０は、Ｕｕインターフェースにより接続される。ｅＮＢ２０は、Ｘ２インターフェースにより相互接続される。隣り合うｅＮＢ２０は、Ｘ２インターフェースによる網型ネットワーク構造を有することができる。複数のノードは、ｅＮＢ２０とゲートウェイ３０との間にＳ１インターフェースを介して接続できる。
【００２６】
図２は、一般的なＥ−ＵＴＲＡＮ及びＥＰＣの構造のブロック図である。図２に示すように、ｅＮＢ２０はゲートウェイ３０に対する選択、ＲＲＣ（ｒａｄｉｏ  ｒｅｓｏｕｒｃｅ  ｃｏｎｔｒｏｌ）活性化（ａｃｔｉｖａｔｉｏｎ）の間のゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬからＵＥ１０への資源の動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態における接続移動性制御機能を行うことができる。前述したように、ゲートウェイ３０は、ＥＰＣでページング開始、ＬＴＥアイドル状態管理、ユーザプレーンの暗号化、ＳＡＥベアラ制御及びＮＡＳシグナリングの暗号化と完全性（ｉｎｔｅｇｒｉｔｙ、無欠性）保護機能を行うことができる。
【００２７】
図３は、ＬＴＥシステムのユーザプレーンプロトコルスタックのブロック図である。図４は、ＬＴＥシステムの制御プレーンプロトコルスタックのブロック図である。ＵＥとＥ−ＵＴＲＡＮとの間の無線インターフェースプロトコルの階層は通信システムで広く知られたＯＳＩ（ｏｐｅｎ  ｓｙｓｔｅｍ  ｉｎｔｅｒｃｏｎｎｅｃｔｉｏｎ）モデルの下位３層に基づいて、Ｌ１（第１層）、Ｌ２（第２層）、及びＬ３（第３層）に区分される。
【００２８】
物理層（ＰＨＹ；ｐｈｙｓｉｃａｌ  ｌａｙｅｒ）はＬ１に属する。物理層は物理チャネルを介して上位層に情報送信サービスを提供する。物理層は、上位層であるＭＡＣ（ｍｅｄｉａ  ａｃｃｅｓｓ  ｃｏｎｔｒｏｌ）層と送信チャネル（ｔｒａｎｓｐｏｒｔ  ｃｈａｎｎｅｌ）を介して接続される。物理チャネルは、送信チャネルにマッピングされる。送信チャネルを介してＭＡＣ層と物理層との間にデータが送信される。互いに異なる物理層の間、即ち送信機の物理層と受信機の物理層との間にデータは物理チャネルを介して送信される。
【００２９】
ＭＡＣ層、ＲＬＣ（ｒａｄｉｏ  ｌｉｎｋ  ｃｏｎｔｒｏｌ）層、及びＰＤＣＰ（ｐａｃｋｅｔ  ｄａｔａ  ｃｏｎｖｅｒｇｅｎｃｅ  ｐｒｏｔｏｃｏｌ）層はＬ２に属する。ＭＡＣ層は、論理チャネル（ｌｏｇｉｃａｌ  ｃｈａｎｎｅｌ）を介して上位層であるＲＬＣ層にサービスを提供する。ＭＡＣ層は、論理チャネル上のデータ送信サービスを提供する。ＲＬＣ層は、信頼性あるデータ送信をサポートする。一方、ＲＬＣ層の機能はＭＡＣ層の内部の機能ブロックで実現されることができ、この際、ＲＬＣ層は存在しないこともある。ＰＤＣＰ層は、相対的に帯域幅の小さい無線インターフェース上でＩＰｖ４またはＩＰｖ６のようなＩＰパケットを導入して送信されるデータが効率良く送信されるように不要な制御情報を減らすヘッダー圧縮機能を提供する。
【００３０】
ＲＲＣ（ｒａｄｉｏ  ｒｅｓｏｕｒｃｅ  ｃｏｎｔｒｏｌ）層は、Ｌ３に属する。Ｌ３の最も下端部分に位置するＲＲＣ層は制御プレーンのみで定義される。ＲＲＣ層は、ＲＢ（ｒａｄｉｏ  ｂｅａｒｅｒ）などの設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して論理チャネル、送信チャネル、及び物理チャネルなどの制御を担当する。ＲＢは、ＵＥとＥ−ＵＴＲＡＮとの間のデータ送信のためにＬ２により提供されるサービスを意味する。
【００３１】
図３に示すように、ＲＬＣ及びＭＡＣ層（ネットワーク側におけるｅＮＢで終了）は、スケジューリング、ＡＲＱ及びＨＡＲＱのような機能を行うことができる。ＰＤＣＰ層（ネットワーク側におけるｅＮＢで終了）は、ヘッダー圧縮、無欠性保護、及び暗号化のようなユーザプレーン機能を行うことができる。
【００３２】
図４に示すように、ＲＬＣ／ＭＡＣ層（ネットワーク側におけるｅＮＢで終了）は、制御プレーンのために同一の機能を行うことができる。ＲＲＣ層（ネットワーク側におけるｅＮＢで終了）は、放送、ページング、ＲＲＣ接続管理、ＲＢ制御、移動性機能、及びＵＥ測定報告及び制御のような機能を行うことができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのためのセキュリティ制御などの機能を行うことができる。
【００３３】
図５は、物理チャネル構造の一例を示す。物理チャネルは、無線資源を通じてＵＥの物理層とｅＮＢの物理層との間のシグナリング及びデータを送信する。物理チャネルは、時間領域の複数のサブフレームと周波数領域の複数の副搬送波で構成される。１ｍｓである１つのサブフレームは、時間領域で複数のシンボルで構成される。該当サブフレームの特定シンボル、例えばサブフレームの第１のシンボルはＰＤＣＣＨのために使用できる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられた資源を運ぶことができる。
【００３４】
ＤＬ送信チャネルは、システム情報を送信するために使用されるＢＣＨ（ｂｒｏａｄｃａｓｔ  ｃｈａｎｎｅｌ）、ＵＥをページングするために使用されるＰＣＨ（ｐａｇｉｎｇ  ｃｈａｎｎｅｌ）、ユーザトラフィックまたは制御信号を送信するために使用されるＤＬ−ＳＣＨ（ｄｏｗｎｌｉｎｋ  ｓｈａｒｅｄ  ｃｈａｎｎｅｌ）、マルチキャストまたはブロードキャストサービス送信のために使用されるＭＣＨ（ｍｕｌｔｉｃａｓｔ  ｃｈａｎｎｅｌ）などを含む。ＤＬ−ＳＣＨは、ＨＡＲＱ、変調、コーディング及び送信電力の変化による動的リンク適応及び動的／半静的資源割当をサポートする。また、ＤＬ−ＳＣＨはセル全体にブロードキャスト及びビームフォーミングの使用を可能にすることができる。
【００３５】
ＵＬ送信チャネルは、一般的にセルへの初期アクセスのために使用されるＲＡＣＨ（ｒａｎｄｏｍ  ａｃｃｅｓｓ  ｃｈａｎｎｅｌ）、ユーザトラフィック、または制御信号を送信するために使用されるＵＬ−ＳＣＨ（ｕｐｌｉｎｋ  ｓｈａｒｅｄ  ｃｈａｎｎｅｌ）などを含む。ＵＬ−ＳＣＨは、ＨＡＲＱ及び送信電力及び潜在的な変調及びコーディングの変化による動的リンク適応をサポートする。また、ＵＬ−ＳＣＨはビームフォーミングの使用を可能にすることができる。
【００３６】
論理チャネルは、送信される情報の種類によって、制御プレーンの情報伝達のための制御チャネルとユーザプレーンの情報伝達のためのトラフィックチャネルに分類される。即ち、論理チャネルタイプの集合はＭＡＣ層により提供される互いに異なるデータ送信サービスのために定義される。
【００３７】
制御チャネルは、制御プレーンの情報伝達のみのために使用される。ＭＡＣ層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）、及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのＤＬチャネルである。ＰＣＣＨは、ページング情報の送信のためのＤＬチャネルであり、ネットワークがＵＥのセル単位の位置を知らない時に使用される。ＣＣＣＨは、ネットワークとＲＲＣ接続を有しない時、ＵＥにより使用される。ＭＣＣＨは、ネットワークからＵＥにＭＢＭＳ（ｍｕｌｔｉｍｅｄｉａ  ｂｒｏａｄｃａｓｔ  ｍｕｌｔｉｃａｓｔ  ｓｅｒｖｉｃｅｓ）制御情報を送信するために使用される一対多のＤＬチャネルである。ＤＣＣＨは、ＵＥとネットワークとの間に専用制御情報送信のためにＲＲＣ接続を有するＵＥにより使用される一対一の両方向チャネルである。
【００３８】
トラフィックチャネルは、ユーザプレーンの情報伝達のみのために使用される。ＭＡＣ層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは一対一のチャネルであって、１つのＵＥのユーザ情報の送信のために使われて、ＵＬ及びＤＬ全てに存在することができる。ＭＴＣＨは、ネットワークからＵＥにトラフィックデータを送信するための一対多のＤＬチャネルである。
【００３９】
論理チャネルと送信チャネルとの間のＵＬ接続は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャネルと送信チャネルとの間のＤＬ接続は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００４０】
ＲＲＣ状態は、ＵＥのＲＲＣ層がＥ−ＵＴＲＡＮのＲＲＣ層と論理的に接続されているか否かを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（ｄｉｓｃｏｎｔｉｎｕｏｕｓ  ｒｅｃｅｐｔｉｏｎ）を指定する間に、ＵＥはシステム情報及びページング情報の放送を受信することができる。そして、ＵＥはトラッキング領域でＵＥを固有に指定するＩＤ（ｉｄｅｎｔｉｆｉｃａｔｉｏｎ）の割当を受けて、ＰＬＭＮ（ｐｕｂｌｉｃ  ｌａｎｄ  ｍｏｂｉｌｅ  ｎｅｔｗｏｒｋ）選択及びセル再選択を行うことができる。またＲＲＣ＿ＩＤＬＥで、いかなるＲＲＣコンテクストもｅＮＢに格納されない。
【００４１】
ＲＲＣ＿ＣＯＮＮＥＣＴＥＤにおいてＵＥは、Ｅ−ＵＴＲＡＮでＥ−ＵＴＲＡＮ  ＲＲＣ接続及びコンテクストを有して、ｅＮＢにデータを送信及び／又はｅＮＢからデータを受信することが可能である。また、ＵＥはｅＮＢにチャネル品質情報及びフィードバック情報を報告することができる。ＲＲＣ＿ＣＯＮＮＥＣＴＥＤで、Ｅ−ＵＴＲＡＮはＵＥが属したセルを知ることができる。したがって、ネットワークはＵＥにデータを送信及び／又はＵＥからデータを受信することができ、ネットワークはＵＥの移動性（ハンドオーバー及びＮＡＣＣ（ｎｅｔｗｏｒｋ  ａｓｓｉｓｔｅｄ  ｃｅｌｌ  ｃｈａｎｇｅ）を通じてのＧＥＲＡＮ（ＧＳＭ  ＥＤＧＥ  ｒａｄｉｏ  ａｃｃｅｓｓ  ｎｅｔｗｏｒｋ）でｉｎｔｅｒ−ＲＡＴ（ｒａｄｉｏ  ａｃｃｅｓｓ  ｔｅｃｈｎｏｌｏｇｙ）セル変更指示）を制御することができ、ネットワークは隣り合うセルのためにセル測定を行うことができる。
【００４２】
ＲＲＣ＿ＩＤＬＥにおいてＵＥは、ページングＤＲＸ周期を指定する。具体的に、ＵＥはＵＥ特定ページングＤＲＸ周期毎の特定ページング機会（ｐａｇｉｎｇ  ｏｃｃａｓｉｏｎ）にページング信号をモニターする。ページング機会は、ページング信号が送信される間の時間区間である。ＵＥは、自分のみのページング機会を有している。ページングメッセージは、同一なトラッキング領域（ＴＡ；ｔｒａｃｋｉｎｇ  ａｒｅａ）に属する全てのセル上に送信される。ＵＥが１つのＴＡから他のＴＡに移動すれば、ＵＥは自分の位置をアップデートするためにネットワークにＴＡＵ（ｔｒａｃｋｉｎｇ  ａｒｅａ  ｕｐｄａｔｅ）メッセージを送信することができる。
【００４３】
キャリアアグリゲーション（ＣＡ；ｃａｒｒｉｅｒ  ａｇｇｒｅｇａｔｉｏｎ）が説明される。これと関連して３ＧＰＰ  ＴＳ  ３６．３００  Ｖ１２．１．０（２０１４−０３）の５．５節及び７．５節が参照され得る。ＣＡに対して単一タイミングアドバンス（ＴＡ；ｔｉｍｉｎｇ  ａｄｖａｎｃｅ）能力を有するＵＥは、同じＴＡを共有する複数のサービングセル（１つのタイミングアドバンスグループ（ＴＡＧ；ｔｉｍｉｎｇ  ａｄｖａｎｃｅ  ｇｒｏｕｐ）にグループ化された複数のサービングセル）に対応する複数のＣＣを介して同時に受信及び／又は送信する。ＣＡに対して複数のＴＡ能力を有するＵＥは、互いに異なるＴＡを有する複数のサービングセル（複数のＴＡＧにグループ化される複数のサービングセル）に対応する複数のＣＣを介して同時に受信及び／又は送信する。Ｅ−ＵＴＲＡＮは、それぞれのＴＡＧが少なくとも１つのサービングセルを含むことを保証する。非ＣＡ能力（ｎｏｎ−ＣＡ  ｃａｐａｂｌｅ）ＵＥは、単に１つのサービングセル（１つのＴＡＧ内の１つのサービングセル）に対応する単一ＣＣを介して送信することができ、単一ＣＣを介して受信することができる。ＣＡは、連続的なＣＣ及び非連続的なＣＣを共にサポートし、各ＣＣは、周波数領域で最大１１０個の資源ブロックに限定される。
【００４４】
ＵＥが同じｅＮＢから送信される互いに異なる個数のＣＣをアグリゲートし、ＵＬとＤＬとで互いに異なる帯域幅をアグリゲートすることが可能である。構成され得るＤＬ  ＣＣの個数は、ＵＥのＤＬアグリゲート能力に依存する。構成され得るＵＬ  ＣＣの個数は、ＵＥのＵＬアグリゲート能力に依存する。ＤＬ  ＣＣよりさらに多いＵＬ  ＣＣでＵＥを構成することは可能でない。典型的なＴＤＤ（ｔｉｍｅ  ｄｉｖｉｓｉｏｎ  ｄｕｐｌｅｘ）配置において、ＵＬ及びＤＬでのＣＣの個数とそれぞれのＣＣの帯域幅とは同一である。構成され得るＴＡＧの個数は、ＵＥのＴＡＧ能力に依存する。同じｅＮＢから送信されるＣＣは、同じカバレッジを提供する必要があるものではない。
【００４５】
ＣＡが構成される場合、ＵＥは、ネットワークと１つのＲＲＣ接続のみを有する。ＲＲＣ接続設定／再設定／ハンドオーバーにおいて、１つのサービングセルは、ＮＡＳ移動性情報（例えば、ＴＡＩ（ｔｒａｃｋｉｎｇ  ａｒｅａ  ｉｄｅｎｔｉｔｙ））を提供し、ＲＲＣ接続再設定／ハンドオーバーにおいて、１つのサービングセルは、セキュリティ入力を提供する。このようなセルは、ＰＣｅｌｌ（ｐｒｉｍａｒｙ  ｃｅｌｌ）と呼ばれる。ＤＬにおいて、ＰＣｅｌｌに対応する搬送波は、ＤＬ  ＰＣＣ（ＤＬ  ｐｒｉｍａｒｙ  ＣＣ）であり、それに対し、ＵＬにおいて、このような搬送波は、ＵＬ  ＰＣＣ（ＵＬ  ｐｒｉｍａｒｙ  ＣＣ）である。
【００４６】
ＵＥ能力に依存して、ＳＣｅｌｌｓ（ｓｅｃｏｎｄａｒｙ  ｃｅｌｌｓ）は、ＰＣｅｌｌと共にサービングセルの集合を形成するように構成されることができる。ＤＬにおいて、ＳＣｅｌｌに対応する搬送波は、ＤＬ  ＳＣＣ（ＤＬ  ｓｅｃｏｎｄａｒｙ  ｃｅｌｌ）であり、それに対し、ＵＬにおいて、このような搬送波は、ＵＬ  ＳＣＣ（ＵＬ  ｓｅｃｏｎｄａｒｙ  ｃｅｌｌ）である。
【００４７】
ＵＥに対して構成されたサービングセルの集合は、常に１つのＰＣｅｌｌと１つ以上のＳＣｅｌｌを含む。それぞれのＳＣｅｌｌに対し、ＤＬ資源に加えてＵＥによるＵＬ資源の利用が構成可能である（したがって、構成されたＤＬ  ＳＣＣの個数は、ＵＬ  ＳＣＣの個数より常に大きいか、または同一であり、ＳＣｅｌｌは、ＵＬ資源のみで構成されることができない）。ＵＥ観点で、それぞれのＵＬ資源は、ただ１つのサービングセルに属する。構成され得るサービングセルの個数は、ＵＥのアグリゲート能力に依存する。ＰＣｅｌｌは、単にハンドオーバー手順（すなわち、セキュリティキー変更とＲＡＣＨ手順）に変更されることができる。ＰＵＣＣＨの送信のために、ＰＣｅｌｌが使用される。ＳＣｅｌｌと異なり、ＰＣｅｌｌは非活性化されることができない。ＰＣｅｌｌが無線リンク失敗（ＲＬＦ；ｒａｄｉｏ  ｌｉｎｋ  ｆａｉｌｕｒｅ）を経験し、ＳＣｅｌｌは、ＲＬＦを経験しない場合に、再設定がトリガされる。ＰＣｅｌｌからＮＡＳ情報が得られる。
【００４８】
ＳＣｅｌｌの構成、付加、及び除去は、ＲＲＣにより行われることができる。イントラＬＴＥハンドオーバーにおいて、ＲＲＣは、ターゲットＰＣｅｌｌの利用のためにＳＣｅｌｌを付加、除去、または再構成できる。新しいＳＣｅｌｌを付加する場合に、すなわち、接続されたモードにある間、ＳＣｅｌｌの全ての要求されるシステム情報を送信するための専用ＲＲＣシグナリングが使用され、ＵＥは、ＳＣｅｌｌから直接放送情報を取得する必要はない。
【００４９】
二重接続（ｄｕａｌ  ｃｏｎｎｅｃｔｉｖｉｔｙ）が開示される。二重接続は、与えられたＵＥがＲＲＣ＿ＣＯＮＮＥＣＴＥＤである間に、非理想的バックホールで接続される少なくとも２つの相違したネットワーク地点（ＭｅＮＢ（ｍａｓｔｅｒ  ｅＮＢ）とＳｅＮＢ（ｓｅｃｏｎｄａｒｙ  ｅＮＢ））により提供される無線資源を消費する動作である。すなわち、ＵＥは、二重接続により２つの種類のサービスを受信する。サービスのうちの１つは、ＭｅＮＢから直接受信される。ＭｅＮＢは、少なくともＳ１−ＭＭＥで終了するｅＮＢであるから、二重接続でコアネットワーク（ＣＮ）に向かった移動性アンカーとして動作する。他のサービスは、ＳｅＮＢから受信される。ＳｅＮＢは、ＵＥに対して付加的な無線資源を提供する、ＭｅＮＢでないｅＮＢである。また、ｅＮＢの負荷状態またはＵＥの要求事項によってサービスはＭｅＮＢ及びＳｅＮＢ間で移動されることができる。ＭＣＧ（ｍａｓｔｅｒ  ｃｅｌｌ  ｇｒｏｕｐ）は、ＭｅＮＢと関連したサービングセルのグループを呼び、ＰＣｅｌｌと選択的に１つ以上のＳＣｅｌｌを含む。ＳＣＧ（ｓｅｃｏｎｄａｒｙ  ｃｅｌｌ  ｇｒｏｕｐ）は、ＳｅＮＢと関連したサービングセルのグループを指し、ＰＳＣｅｌｌ（ｐｒｉｍａｒｙ  ＳＣｅｌｌ）と選択的に１つ以上のＳＣｅｌｌを含む。
【００５０】
Ｒｅｌ−８から、３ＧＰＰアクセスネットワークと非３ＧＰＰアクセスネットワーク（例えば、ＷＬＡＮ（ｗｉｒｅｌｅｓｓ  ｌｏｃａｌ  ａｒｅａ  ｎｅｔｗｏｒｋ））との間のインターワーキングのために、３ＧＰＰは、ＡＮＤＳＦ（ａｃｃｅｓｓ  ｎｅｔｗｏｒｋ  ｄｉｓｃｏｖｅｒｙ  ａｎｄ  ｓｅｌｅｃｔｉｏｎ  ｆｕｎｃｔｉｏｎｓ）を規格化した。ＡＮＤＳＦは、３ＧＰＰ  ＴＳ２４．３１２で詳しく説明される。ＡＮＤＳＦからアクセスネットワーク探索情報の提供をサポートするＵＥに格納されたアクセスネットワーク探索情報だけでなく、ＩＳＭＰ（ｉｎｔｅｒ−ｓｙｓｔｅｍ  ｍｏｂｉｌｉｔｙ  ｐｏｌｉｃｉｅｓ）及びＩＳＲＰ（ｉｎｔｅｒ−ｓｙｓｔｅｍ  ｒｏｕｔｉｎｇ  ｐｏｌｉｃｙ）を管理するために、ＡＮＤＳＦ  ＭＯ（ｍａｎａｇｅｍｅｎｔ  ｏｂｊｅｃｔ）が使用される。ＡＮＤＳＦは、ＡＮＤＳＦからＵＥへの情報の提供を開始できる。ＩＳＭＰ、ＩＳＲＰ、及び探索情報間の関係は、ＩＳＭＰは、ＵＥが多重アクセスを介してＥＰＣに接続できない場合にアクセスネットワークを優先順位化し、ＩＳＲＰは、ＵＥが多重アクセス（すなわち、ＵＥがＩＦＯＭ（ＩＰ  ｆｌｏｗ  ｍｏｂｉｌｉｔｙ）、ＭＡＰＣＯＮ（ｍｕｌｔｉｐｌｅ  ａｃｃｅｓｓ  ＰＤＮ  ｃｏｎｎｅｃｔｉｖｉｔｙ）、非シームレスＷＬＡＮオフロードまたはこの能力の任意の組み合わせ）を介してＥＰＣに接続できる場合に利用可能なアクセス間にトラフィックを配分する方法を指示する。それに対し、探索情報は、ＵＥがＩＳＭＰまたはＩＳＲＰで定義されたアクセスネットワークに接続するように追加的な情報を提供する。ＭＯは、有効性領域、ＵＥの位置及び地形座標に対するアクセスネットワークの利用可能性を定義する。ＵＥは、ポリシーまたは探索情報の有効性領域条件を評価するために、またはＡＮＤＳＦ目的のために自分の位置を推定するために、全てのＵＥのサポートされる無線をつけることが要求されるものではない。ＵＥは、ＡＮＤＳＦ  ＭＯルートノードの子（ｃｈｉｌｄ）であり、ＵＥによりサポートされない任意のノードを廃棄しなければならない。ＡＮＤＳＦサーバは、ＡＮＤＳＦ  ＭＯルートノードの子であり、ＡＮＤＳＦサーバによりサポートされない任意のノードを廃棄しなければならない。
【００５１】
ＵＥは、（ＨＰＬＭＮ（ｈｏｍｅ  ＰＬＭＮ）による、そしてＵＥがローミングする場合に、ＶＰＬＭＮ（ｖｉｓｉｔｅｄ  ＰＬＭＮ）による）複数の有効なＩＳＭＰ、ＩＳＲＰ、ＩＡＲＰ（ｉｎｔｅｒ−ＡＰＮ  ｒｏｕｔｉｎｇ  ｐｏｌｉｃｉｅｓ）及びＷＬＡＮＳＰ（ＷＬＡＮ  ｓｅｌｅｃｔｉｏｎ  ｐｏｌｉｃｙ）規則を提供されることができる。ＵＥは、全てのこのような有効な規則を適用しないが、「活性」規則のみを適用する。具体的には：
【００５２】
・３ＧＰＰアクセス及びＷＬＡＮアクセスを介してのＩＰトラフィックを同時にルーティングできないＵＥは、下記において特定されるように、活性ＩＳＭＰ規則、活性ＩＡＲＰ規則、及び活性ＷＬＡＮＳＰ規則を選択しなければならない。
【００５３】
・３ＧＰＰアクセス及びＷＬＡＮアクセスを介してのＩＰトラフィックを同時にルーティングできるＵＥは、下記において特定されるように、活性ＩＳＲＰ規則、活性ＩＡＲＰ規則、及び活性ＷＬＡＮＳＰ規則を選択しなければならない。
【００５４】
ＵＥがローミングしない場合、ＵＥは、このような規則の個別的な優先順位に基づいて（または他の基準に基づいて）、ＨＰＬＭＮにより提供される有効な規則から適用される活性ＩＳＭＰ／ＩＳＲＰ規則、活性ＩＡＲＰ規則、及び活性ＷＬＡＮＳＰ規則を選択しなければならない。例えば、活性ＷＬＡＮＳＰ規則として最も高い優先順位のＷＬＡＮＳＰ規則が選択される。
【００５５】
ＵＥがローミングする場合、ＵＥは、ＨＰＬＭＮ及びＶＰＬＭＮの両方から有効な規則を有することができる。このような場合に、ＵＥは、次のように活性規則を選択しなければならない。
【００５６】
１）活性ＩＡＲＰ規則は、ＨＰＬＭＮにより提供される有効なＩＡＲＰ規則から選択される。
【００５７】
２）活性ＩＳＭＰ／ＩＳＲＰ規則と活性ＷＬＡＮＳＰ規則とは、次のようにＵＥ構成に基づいて選択される：
【００５８】
ａ）ＵＥは、「ＨＰＬＭＮにより提供されるＷＬＡＮ選択を選好」するように構成されるか、またはそうでないように構成される。このような構成は、「選好されるＷＬＡＮ選択規則を有するＶＰＬＭＮ」のリストを介してユーザまたはＨ−ＡＮＤＳＦ（ｈｏｍｅ  ＡＮＤＳＦ）によりなされることができる。ユーザ構成は、Ｈ−ＡＮＤＳＦ構成より優位を占める。
【００５９】
ｂ）ＵＥがＨＰＬＭＮにより提供されるＷＬＡＮ選択規則を選好しないように構成されるならば（すなわち、ＵＥが登録されたＶＰＬＭＮが「選好されるＷＬＡＮ選択規則を有するＶＰＬＭＮ」のリスト内に含まれれば）、ＵＥは、ＶＰＬＭＮのＷＬＡＮＳＰ規則を確認しなければならず、このような規則内に１つ以上のグループの選択基準と整合する利用可能なＷＬＡＮアクセスネットワークがあるか否かを決定しなければならない。
【００６０】
ｉ）ＶＰＬＭＮのＷＬＡＮＳＰ規則内に１つ以上のグループの選択基準と整合する少なくとも１つのＷＬＡＮアクセスネットワークがあれば、ＵＥは、ＶＰＬＭＮにより提供される有効な規則から（これらの優先順位値に基づいて）活性ＷＬＡＮＳＰ規則と活性ＩＳＭＰ／ＩＳＲＰ規則とを選択しなければならない。
【００６１】
ii）ＶＰＬＭＮのＷＬＡＮＳＰ規則内に１つ以上のグループの選択基準と整合するＷＬＡＮアクセスネットワークがなければ、ＵＥは、ＨＰＬＭＮにより提供される有効な規則から活性ＷＬＡＮＳＰ規則と活性ＩＳＭＰ／ＩＳＲＰ規則とを選択しなければならない。ＵＥがＶＰＬＭＮのＷＬＡＮＳＰ規則内に１つ以上のグループの選択基準と整合する少なくとも１つのＷＬＡＮアクセスネットワークが利用可能になったことと決定する場合、ＵＥは、上記の表示ｉ）のように動作しなければならず、このようなＷＬＡＮアクセスネットワークに対して再選択することができる。
【００６２】
ｃ）ＵＥがＨＰＬＭＮにより提供されるＷＬＡＮ選択規則を選好するように構成されるならば（すなわち、ＵＥが登録されたＶＰＬＭＮが「選好されるＷＬＡＮ選択規則を有するＶＰＬＭＮ」のリスト内に含まれなければ）、ＵＥは、ＨＰＬＭＮのＷＬＡＮＳＰ規則を確認しなければならず、このような規則内に１つ以上のグループの選択基準と整合される利用可能なＷＬＡＮアクセスネットワークがあるか否かを決定しなければならない。
【００６３】
ｉ）ＨＰＬＭＮのＷＬＡＮＳＰ規則内に１つ以上のグループの選択基準と整合する少なくとも１つのＷＬＡＮアクセスネットワークがあれば、ＵＥは、ＨＰＬＭＮにより提供される有効な規則から（これらの優先順位値に基づいて）活性ＷＬＡＮＳＰ規則と活性ＩＳＭＰ／ＩＳＲＰ規則とを選択しなければならない。
【００６４】
ii）ＨＰＬＭＮのＷＬＡＮＳＰ規則内に１つ以上のグループの選択基準と整合するＷＬＡＮアクセスネットワークがなければ、ＵＥは、ＶＰＬＭＮにより提供される有効な規則から活性ＷＬＡＮＳＰ規則と活性ＩＳＭＰ／ＩＳＲＰ規則とを選択しなければならない。ＵＥがＨＰＬＭＮのＷＬＡＮＳＰ規則内に１つ以上のグループの選択基準と整合する少なくとも１つのＷＬＡＮアクセスネットワークが利用可能になったことと決定する場合、ＵＥは、上記の表示ｉ）のように動作しなければならず、このようなＷＬＡＮアクセスネットワークに対して再選択することができる。
【００６５】
電源を入れる（ｐｏｗｅｒ−ｕｐ、電力−アップの）間に、ＵＥが任意のＰＬＭＮに登録されていない間、ＵＥは、ＨＰＬＭＮにより提供されるＷＬＡＮＳＰ規則を有効なものと考慮しなければならず、前述されたような活性ＷＬＡＮＳＰ規則（最も高い優先順位を有する規則）を選択しなければならない。したがって、電源を入れる間にＵＥは、ＨＰＬＭＮにより提供されるＷＬＡＮＳＰ規則に基づいてＷＬＡＮネットワークを選択できる。
【００６６】
ＡＮＤＳＦに付加して、付加的なポリシーが３ＧＰＰアクセスネットワーク（例えば、Ｅ−ＵＴＲＡＮ）と非３ＧＰＰアクセスネットワーク（例えば、ＷＬＡＮ）との間でのインターワーキングのためのＲＡＮ規格文書（ｓｐｅｃｉｆｉｃａｔｉｏｎ）で特定されることができる。３ＧＰＰアクセスネットワークと非３ＧＰＰアクセスネットワークとの間でのインターワーキングのための付加的なポリシーは、ＲＡＮ規則として参照されることができる。下記では、３ＧＰＰアクセスネットワーク（例えば、Ｅ−ＵＴＲＡＮ）と非３ＧＰＰアクセスネットワーク（例えば、ＷＬＡＮ）との間のインターワーキングがトラフィックステアリング（ｔｒａｆｆｉｃ  ｓｔｅｅｒｉｎｇ）として参照され得る。
【００６７】
３ＧＰＰとＷＬＡＮとの間でのアクセスネットワーク選択及びトラフィックステアリングのために、ＲＡＮ補助パラメータがＵＥにシステム情報またはＲＲＣ接続再構成メッセージで提供され得る。ＲＡＮ補助パラメータのうち、任意のパラメータが専用（ｄｅｄｉｃａｔｅｄ）シグナリングで、すなわち、ＲＲＣ接続再構成メッセージを介して提供されるならば、ＵＥは、システム情報に提供される全てのＲＡＮ補助パラメータを無視できる。ＵＥが適切なセルに対してキャンプ（ｃａｍｐ）された場合にのみ、ＲＡＮ補助パラメータは、システム情報を介して受信される。ＵＥは、セル再選択またはハンドオーバー時にＲＡＮ補助パラメータを廃棄（ｄｉｓｃａｒｄ）できる。ＵＥがＲＲＣ＿ＩＤＬＥに進入した後に、ＲＡＮ補助パラメータの有効時間が満了するまで、ＵＥは、ＲＲＣ＿ＩＤＬＥから専用シグナリングに提供されるＲＡＮ補助パラメータを維持し、適用することができる。
【００６８】
ＵＥが３ＧＰＰとＷＬＡＮとの間でトラフィックステアリングをすることができ、活性ＡＮＤＳＦポリシーでプロビジョニング（ｐｒｏｖｉｓｉｏｎ）されない場合に限って、アクセスネットワーク選択及びトラフィックステアリング規則が、ネットワークによりＵＥに識別子がシグナリングされるＷＬＡＮに対してのみ利用可能でありうる。ＡＳ層は、いつまたはどのＷＬＡＮ識別子に対して３ＧＰＰからＷＬＡＮへのトラフィックをステアリング（ｓｔｅｅｒｉｎｇ、操縦）するための次の条件１及び２が時間インターバルＴsteeringWLANに対して満たすかを上位層に知らせることができる。ＴsteeringWLANは、３ＧＰＰとＷＬＡＮとの間でトラフィックステアリングを始める前に規則が満たされなければならないタイマー値を特定する。ＷＬＡＮ識別子は、ＳＳＩＤ（ｓｅｒｖｉｃｅ  ｓｅｔ  ＩＤ）、ＢＳＳＩＤｓ（ｂａｓｉｃ  ｓｅｒｖｉｃｅ  ｓｅｔ  ＩＤ）、またはＨＥＳＳＩＤｓ（ｈｏｍｏｇｅｎｅｏｕｓ  ｅｘｔｅｎｄｅｄ  ｓｅｒｖｉｃｅ  ｓｅｔ  ＩＤ）に提供されることができ、これは、ＷＬＡＮ／３ＧＰＰ無線インターワーキングメカニズムと見なされることができる。
【００６９】
１．ＷＬＡＮ／３ＧＰＰサービングセルで：
【００７０】
・Ｑrxlevmeas＜ＴｈｒｅｓｈServingOffloadWLAN、LowP；または、
【００７１】
・Ｑqualmeas＜ＴｈｒｅｓｈServingOffloadWLAN、LowQ；
【００７２】
２．ターゲットＷＬＡＮで：
【００７３】
・ＣｈａｎｎｅｌＵｔｉｌｉｚａｔｉｏｎＷＬＡＮ＜ＴｈｒｅｓｈChUtilWLAN、Low；及び
【００７４】
・ＢａｃｋｈａｕｌＲａｔｅＤｌＷＬＡＮ＞ＴｈｒｅｓｈBackhRateDLWLAN、High；及び
【００７５】
・ＢａｃｋｈａｕｌＲａｔｅＵｌＷＬＡＮ＞ＴｈｒｅｓｈBackhRateULWLAN、High；
【００７６】
上記の条件で、Ｑrxlevmeasは、測定されたセルＲＸレベル値（ＲＳＲＰ（ｒｅｆｅｒｅｎｃｅ  ｓｉｇｎａｌ  ｒｅｃｅｉｖｅｄ  ｐｏｗｅｒ））である。Ｑqualmeasは、測定されたセル品質値（ＲＳＲＱ（ｒｅｆｅｒｅｎｃｅ  ｓｉｇｎａｌ  ｒｅｃｅｉｖｅｄ  ｑｕａｌｉｔｙ）である。ＣｈａｎｎｅｌＵｔｉｌｉｚａｔｉｏｎＷＬＡＮは、指示されたＷＬＡＮ識別子に対して８０２．１１（ビーコンまたはプローブ応答）シグナリングから取得されたＢＳＳ負荷情報エレメント（ＩＥ）からのＷＬＡＮチャネル利用値である。ＢａｃｋｈａｕｌＲａｔｅＤｌＷＬＡＮは、ＷＬＡＮバックホール利用可能なＤＬ帯域幅である。ＢａｃｋｈａｕｌＲａｔｅＵｌＷＬＡＮは、ＷＬＡＮバックホール利用可能なＵＬ帯域幅である。ＴｈｒｅｓｈServingOffloadWLAN、LowPは、ＷＬＡＮへのトラフィックステアリングのためにＵＥにより使用されるＲＳＲＰしきい値（ｄＢｍ単位）を特定する。ＴｈｒｅｓｈServingOffloadWLAN、LowQは、ＷＬＡＮへのトラフィックステアリングのためにＵＥにより使用されるＲＳＲＱしきい値（ｄＢ単位）を特定する。ＴｈｒｅｓｈChUtilWLAN、Lowは、ＷＬＡＮへのトラフィックステアリングのためにＵＥにより使用されるＷＬＡＮチャネル利用（ＢＳＳ負荷）しきい値を特定する。ＴｈｒｅｓｈBackhRateDLWLAN、Highは、ＷＬＡＮへのトラフィックステアリングのためにＵＥにより使用されるバックホール利用可能な下向きリンク帯域幅しきい値を特定する。ＴｈｒｅｓｈBackhRateULWLAN、Highは、ＷＬＡＮへのトラフィックステアリングのためにＵＥにより使用されるバックホール利用可能な上向きリンク帯域幅しきい値を特定する。３ＧＰＰとＷＬＡＮとの間でのアクセスネットワーク選択とトラフィックステアリングのための前記パラメータは、システム情報で放送されることができ、Ｅ−ＵＴＲＡＮサービングセルで読み取られる。
【００７７】
ＵＥは、測定に対するしきい値が提供されていない測定の評価を除外しなければならない。３ＧＰＰにより提供される１つより多いＷＬＡＮが上記の条件を満たすと、このようなＷＬＡＮのうち、１つを選択することは、ＵＥの実装に拠ることができる。
【００７８】
ＡＳ層は、いつＷＬＡＮから３ＧＰＰへのトラフィックをステアリングするための次の条件１及び２が時間インターバルＴsteeringWLANに対して満たすかを上位層に知らせることができる。
【００７９】
１．選択されたソースＷＬＡＮで：
【００８０】
・ＣｈａｎｎｅｌＵｔｉｌｉｚａｔｉｏｎＷＬＡＮ＞ＴｈｒｅｓｈChUtilWLAN、High；または、
【００８１】
・ＢａｃｋｈａｕｌＲａｔｅＤｌＷＬＡＮ＜ＴｈｒｅｓｈBackhRateDLWLAN、Low；または、
【００８２】
・ＢａｃｋｈａｕｌＲａｔｅＵｌＷＬＡＮ＜ＴｈｒｅｓｈBackhRateULWLAN、Low；
【００８３】
２．ターゲットＥ−ＵＴＲＡＮセルで：
【００８４】
・Ｑｒｘｌｅｖｍｅａｓ＞ＴｈｒｅｓｈServingOffloadWLAN、HighP；及び
【００８５】
・Ｑｑｕａｌｍｅａｓ＞ＴｈｒｅｓｈServingOffloadWLAN、HighQ；
【００８６】
上記の条件で、ＴｈｒｅｓｈChUtilWLAN、Highは、Ｅ−ＵＴＲＡＮへのトラフィックステアリングのためにＵＥにより使用されるＷＬＡＮチャネル利用（ＢＳＳ負荷）しきい値を特定する。ＴｈｒｅｓｈBackhRateDLWLAN、Lowは、Ｅ−ＵＴＲＡＮへのトラフィックステアリングのためにＵＥにより使用されるバックホール利用可能な下向きリンク帯域幅しきい値を特定する。ＴｈｒｅｓｈBackhRateULWLAN、Lowは、Ｅ−ＵＴＲＡＮへのトラフィックステアリングのためにＵＥにより使用されるバックホール利用可能な上向きリンク帯域幅しきい値を特定する。ＴｈｒｅｓｈServingOffloadWLAN、HighPは、Ｅ−ＵＴＲＡＮへのトラフィックステアリングのためにＵＥにより使用されるＲＳＲＰしきい値（ｄＢｍ単位）を特定する。ＴｈｒｅｓｈServingOffloadWLAN、HighQは、Ｅ−ＵＴＲＡＮへのトラフィックステアリングのためにＵＥにより使用されるＲＳＲＱしきい値（ｄＢ単位）を特定する。Ｅ−ＵＴＲＡＮとＷＬＡＮとの間でのアクセスネットワーク選択とトラフィックステアリングのための前記パラメータは、システム情報で放送されることができ、Ｅ−ＵＴＲＡＮサービングセルで読み取られる。
【００８７】
ＵＥは、測定に対するしきい値が提供されていない測定の評価を除外しなければならない。ＡＳ層により提供される指示がユーザ選好と相反したり、またはＵＥがＡＮＤＳＦポリシーでプロビジョニングされれば、上位層は、前記指示を無視できる。
【００８８】
ＣＡまたはＤＣが構成されない場合に、ＵＥは、３ＧＰＰのサービングセルの無線状態をＷＬＡＮへ／からのトラフィックステアリングのためのしきい値と比較する。すなわち、非ＣＡ能力ＵＥと非ＤＣ能力ＵＥの場合に、ＵＥは、単に１つのサービングセルを有するので、どのサービングセルの無線状態をしきい値と比較し、どのサービングセルから／サービングセルでトラフィックステアリングが行われるかが明らかである。
【００８９】
しかし、ＣＡまたはＤＣが構成される場合には、ＵＥは、複数のサービングセルを有することができる。ＣＡが構成される場合、ＣＡ能力ＵＥは、１つのＰＣｅｌｌと少なくとも１つのＳＣｅｌｌとを有することができる。ＤＣが構成される場合、ＤＣ能力ＵＥは、ＭｅＮＢのサービングセルとＳｅＮＢのサービングセルとを有することができる。このような場合に、ＵＥがＷＬＡＮへ／からのトラフィックをどのサービングセルから／サービングセルへステアリングしなければならないか、及び／又はどのサービングセルの無線状態がしきい値と比較されるかは明らかでない。
【００９０】
前述された問題を解決するために、本発明の一実施形態に係るトラフィックステアリングを行う方法が後述される。下記では、ＲＲＣ＿ＣＯＮＮＥＣＴＥＤでＵＥがＭｅＮＢのＰＣｅｌｌでない、１つ以上のサービングセルで構成（例えば、ＭｅＮＢのＳＣｅｌｌ、ＳｅＮＢのＰＳＣｅｌｌ、ＳｅＮＢのＳＣｅｌｌ）されると仮定される。下記の明細書において、明示的に記述されない限り、ＰＣｅｌｌは、ＭｅＮＢのＰＣｅｌｌを意味する。ＰＳＣｅｌｌは、ＳｅＮＢのＰＣｅｌｌを意味する。下に記述される本発明の実施形態は、ＲＡＮ補助情報を使用する任意のインターワーキングポリシーまたは規則に適用されることができるということがさらに仮定される。前記インターワーキングポリシー／規則は、ＡＮＤＳＦ及びＲＡＮ規則（３ＧＰＰ  ＴＳ３６．３０４で定義されたアクセスネットワーク選択及びトラフィックステアリング規則）を含むことができる。ＷＬＡＮへのトラフィックステアリングのためのＷＬＡＮ関連条件は、他に記述されない限り、満たされたこととさらに仮定される。
【００９１】
まず、本発明の一実施形態に係るトラフィックがＷＬＡＮへステアリングされるサービングセルまたはトラフィックがＷＬＡＮからステアリングされるサービングセルを決定する方法が記述される。本発明の一実施形態によれば、２つのソリューションがありうるが、これらのうち、１つは、ネットワーク基盤ソリューションであり、他の１つは、ＵＥ基盤ソリューションである。
【００９２】
図６は、本発明の一実施形態に係るトラフィックステアリングのための方法の一例を図示する。このような例示は、ネットワーク基盤ソリューションに対応する。ネットワーク基盤ソリューションにおいて、ネットワークは、どのサービングセルからＵＥがＷＬＡＮへトラフィックをステアリングしなければならず、及び／又はＷＬＡＮからどのサービングセルでトラフィックをステアリングしなければならないかを指示する。ネットワークは、トラフィックステアリングがそれぞれのサービングセルに対して許されるか否かを指示する。
【００９３】
ステップＳ１００においてＵＥは、ｅＮＢからトラフィックステアリングが許される複数のサービングセルの各々に対してＲＡＮ補助情報をＰＣｅｌｌで受信する。ｅＮＢは、専用／放送シグナリングを介してそれぞれの許されたサービングセルに対してそれぞれのセル識別子を含む別のＲＡＮ補助情報をＵＥに提供できる。代案的に（ａｌｔｅｒｎａｔｉｖｅｌｙ）、ｅＮＢは、許されたサービングセルに対して全てのセル識別子を含む１つの共通したＲＡＮ補助情報をＵＥに提供できる。代案的に、ｅＮＢは、ＲＡＮ補助情報のセット等とＲＡＮ補助情報のそれぞれのセットと対応するセル識別子の結合（ｌｉｎｋａｇｅ）をＵＥに提供できる。
【００９４】
ＲＡＮ補助情報は、次のうち、少なくとも１つを含むことができる：
【００９５】
・ＷＬＡＮ関連チャネル利用しきい値、ＵＬ／ＤＬバックホールしきい値、信号レベルしきい値
【００９６】
・３ＧＰＰ関連しきい値：ＲＳＲＰ、ＲＳＲＱしきい値、チャネル利用（混雑レベル）しきい値、バックホールしきい値
【００９７】
・ＷＬＡＮ識別子：ＳＳＩＤ、ＢＳＳＩＤ、ＨＥＳＳＩＤ
【００９８】
また、ＲＡＮ補助情報は、それぞれの許されたサービングセルで放送及び／又は専用シグナリングを介して提供されることができる。代案的に、ＲＡＮ補助情報は、ＰＣｅｌｌ及び／又はＰＳＣｅｌｌでの放送及び／又は専用シグナリングを介して提供されることができる。ＰＣｅｌｌ及び／又はＰＳＣｅｌｌで提供される補助情報は、ＭｅＮＢ及びＳｅＮＢに属する１つ以上のサービングセルの各々に適用されることができる。ＲＡＮ補助情報が専用シグナリングを介して１つ以上のサービングセルにより提供されるならば、ＵＥは、放送シグナリングを介して任意のサービングセルにより提供されるＲＡＮ補助情報を適用しないことができる。
【００９９】
ＷＬＡＮへのトラフィックステアリングのためにまたはその反対の場合に、ｅＮＢからＲＡＮ補助情報を受信時に、ＵＥは、それぞれの許されたサービングセルに対してそれぞれの許されたサービングセルの条件をしきい値と比較する。トラフィックステアリングのための条件が満たされれば、ステップＳ１１０においてＵＥは、受信されたＲＡＮ補助情報に基づいて複数のサービングセルのうち、１つとＷＬＡＮとの間のトラフィックステアリングを行う。ＷＬＡＮへのトラフィックステアリングのための条件が満たされれば、ＵＥは、トラフィックをステアリングするように許されたサービングセルのトラフィックをＷＬＡＮへステアリングすることができる。３ＧＰＰへのトラフィックステアリングのための条件が満たされれば、ＵＥは、ＷＬＡＮのトラフィックをトラフィックがステアリングされたサービングセルへステアリングすることができる。
【０１００】
オフロード可能なトラフィック（１つのＰＤＮ／ベアラ／ＡＰＮ／ＩＰフロー）が１つより多いサービングセルによりサービングされる場合、サービングセルのうち、１つの条件が満たされるか、または全てのサービングセル条件が満たされれば、ＵＥは、全てのサービングセルからＷＬＡＮへトラフィックをステアリングできる。
【０１０１】
３ＧＰＰサービングセルへのステアリングのために、ＰＣｅｌｌの条件が満たされれば、ＷＬＡＮのトラフィックはＰＣｅｌｌへステアリングされることができる。代案的に、ＰＣｅｌｌ及び／又はＰＳＣｅｌｌの条件が満たされれば、ＷＬＡＮのトラフィックは、トラフィックがステアリングされたＰＣｅｌｌ及び／又はＰＳＣｅｌｌへステアリングされることができる。代案的に、それぞれのサービングセルの条件が満たされれば、ＷＬＡＮのトラフィックは、トラフィックがステアリングされたそれぞれのサービングセルへステアリングされることができる。サービングセルが非活性化されるか、または構成されないならば、トラフィックは、ＰＣｅｌｌへステアリングされることができる。
【０１０２】
また、ＵＥは、ＷＬＡＮへトラフィックを実際にステアリングする前にトラフィックをステアリングすることを決定した後に、ネットワークに様々な情報を指示できる。前記指示は、ベアラ識別子／ＥＰＳ（ｅｖｏｌｖｅｄ  ｐａｃｋｅｔ  ｓｙｓｔｅｍ）ベアラ識別子／ＰＤＮ識別子／ＡＰＮ／ステアリングされるＩＰフロー、ＲＡＮ規則／比較が満たされるセルのセル識別子、３ＧＰＰ／ＷＬＡＮの信号レベル、ＷＬＡＮのチャネル利用、またはＷＬＡＮの利用可能なバックホールデータレートのうち、少なくとも１つを含むことができる。
【０１０３】
また、オフロード可能／非オフロード可能ＡＰＮ／ＰＤＮ識別子／ＥＰＳベアラ識別子／ＩＰフローがＵＥ別のトラフィックルーティング情報のために使用され得る。
【０１０４】
図７は、本発明の一実施形態に係るトラフィックステアリングのための方法の他の例を図示する。このような例示は、ＵＥ基盤ソリューションに対応する。ＵＥ基盤ソリューションで、どのサービングセルからＷＬＡＮへトラフィックをステアリングするか、及び／又はＷＬＡＮからどのサービングセルへトラフィックをステアリングしなければならないかをＵＥが自発的に決定する。
【０１０５】
ステップＳ２００においてＵＥは、複数のサービングセルの各々に対してＲＡＮ補助情報を受信する。前述されたネットワーク基盤ソリューションに対して使用されるＲＡＮ補助情報を提供するためのシグナリングメカニズムは、ＵＥ基盤ソリューションにさらに適用されることができる。
【０１０６】
ステップＳ２１０で、ＵＥがＷＬＡＮへ／からのトラフィックをステアリングするために、ＵＥは、複数のサービングセルからサービングセルのサブセットを決定する。すなわち、ＵＥがＷＬＡＮへトラフィックをステアリングし、ＵＥがＷＬＡＮからトラフィックをステアリングするサービングセルを決定する。ＵＥが３ＧＰＰサービングセル負荷、３ＧＰＰサービングセルバックホール負荷、または３ＧＰＰサービングセル信号レベルのうち、少なくとも１つに基づいてサービングセルから／サービングセルでトラフィックをステアリングするサービングセルを決定できる。前記選択されたセルを除外した残りのセルに対して、前記セルとターゲットＷＬＡＮの条件が満たされるにもかかわらず、ＵＥは、トラフィックステアリングを行わないことができる。
【０１０７】
トラフィックステアリングのための条件が満たされれば、ステップＳ２２０においてＵＥは、決定された１つのサービングセルとＷＬＡＮとの間のトラフィックステアリングを行う。トラフィックステアリングのための条件が満たされれば、ＵＥは、ＷＬＡＮへトラフィックをステアリングすることと決定したサービングセルのトラフィックをＷＬＡＮへステアリングする。サービングセルの条件が満たされれば、ＵＥは、ＷＬＡＮのトラフィックをトラフィックがステアリングされたサービングセルへステアリングする。代案的に、ＰＣｅｌｌの条件が満たされれば、ＷＬＡＮのトラフィックはＰＣｅｌｌへステアリングされることができる。代案的に、ＰＣｅｌｌ及び／又はＰＳＣｅｌｌの条件が満たされれば、ＷＬＡＮのトラフィックは、トラフィックがステアリングされたＰＣｅｌｌ及び／又はＰＳＣｅｌｌへステアリングされることができる。サービングセルが非活性化されるか、または構成されないならば、トラフィックは、ＰＣｅｌｌへステアリングされることができる。
【０１０８】
ＵＥは、ＷＬＡＮへトラフィックをステアリングした後に、ネットワークにこれを指示できる。代案的に、ＵＥは、ＷＬＡＮへトラフィックを実際にステアリングする前にトラフィックをステアリングすることと決定した後に、ネットワークにこれを指示できる。前記指示は、ベアラ識別子／ＥＰＳベアラ識別子／ＰＤＮ識別子／ＡＰＮ／ＩＰフロー／セル識別子／ＷＬＡＮ識別子のうち、少なくとも１つを含むことができる。
【０１０９】
また、オフロード可能／非オフロード可能ＡＰＮ／ＰＤＮ識別子／ＥＰＳベアラ識別子／ＩＰフローは、ＵＥ別のトラフィックルーティング情報のために使用されることができる。
【０１１０】
図８は、本発明の一実施形態に係るトラフィックステアリングのための方法の他の例を図示する。ステップＳ３００においてＵＥは、複数のサービングセルの各々に対するＲＡＮ補助情報を受信する。ステップＳ３１０においてＵＥは、複数のサービングセルのうち、１つのサービングセルとＷＬＡＮとの間でトラフィックステアリングを行う。複数のサービングセルは、キャリアアグリゲーションによりＰＣｅｌｌと少なくとも１つのＳＣｅｌｌとを含むことができる。複数のサービングセルは、二重接続によりＭｅＮＢのＰＣｅｌｌ／ＳＣｅｌｌとＳｅＮＢのＰＳＣｅｌｌ／ＳＣｅｌｌとを含むことができる。ＲＡＮ補助情報は、放送シグナリングまたは専用シグナリングを介して受信されることができる。
【０１１１】
前述されたネットワーク基盤ソリューションに対して、複数のサービングセルは、トラフィックステアリングが許されるサービングセルでありうる。ＲＡＮ補助情報は、複数のサービングセルの各々に対してセル識別子を含むことができる。ＲＡＮ補助情報の受信時に、ＷＬＡＮへのトラフィックステアリングのためにまたはその反対の場合に、ＵＥは、それぞれの許されたサービングセルの条件を対応するＲＡＮ補助情報に指示される対応するしきい値と比較する。ＷＬＡＮへのトラフィックステアリングのための条件が満たされれば、ＵＥは、トラフィックをステアリングするように許されたサービングセルのトラフィックをＷＬＡＮへステアリングすることができる。３ＧＰＰへのトラフィックステアリングのための条件が満たされれば、ＵＥは、ＷＬＡＮのトラフィックをトラフィックがステアリングされたサービングセルへステアリングすることができる。
【０１１２】
ＵＥ基盤ソリューションにおいてＵＥは、トラフィックがＷＬＡＮへステアリングされ、トラフィックがＷＬＡＮからステアリングされる１つ以上のサービングセルを自発的に決定できる。１つのサービングセルは、サービングセルの負荷、サービングセルのバックホール負荷、またはサービングセルの信号レベルのうち、少なくとも１つに基づいて決定されることができる。ＷＬＡＮへのトラフィックステアリングのための条件が満たされれば、ＵＥは、トラフィックをステアリングすることと決定したサービングセルのトラフィックをＷＬＡＮへステアリングする。３ＧＰＰへのトラフィックステアリングのための条件が満たされれば、ＵＥは、ＷＬＡＮのトラフィックをトラフィックがステアリングされたサービングセルへステアリングすることができる。
【０１１３】
第２に、本発明の一実施形態に係るＲＲＣ＿ＣＯＮＮＥＣＴＥＤにあるＵＥに対してＲＡＮ補助情報を扱う方法が提示される。ＵＥは、ＣＡ及び／又はＤＣで構成されて、１つより多いサービングセルを有する。下記では、「セルＡで提供されるＲＡＮ補助情報を利用」という用語が、ＵＥがセルＡから提供されるＲＡＮ補助情報を受信し、セルＡの測定された結果をセルＡから提供されるＲＡＮ補助情報と比較するということを意味する。
【０１１４】
（１）それぞれのサービングセルと比較
【０１１５】
ネットワークは、ＲＡＮ補助情報を（ＭｅＮＢ及びＳｅＮＢの）ＰＣｅｌｌ、ＰＳＣｅｌｌ、及びＳＣｅｌｌのうち、２つより多いサービングセルでの放送／専用シグナリングを介して提供する。ＵＥは、ＭｅＮＢ及びＳｅＮＢのＰＣｅｌｌ及びＳＣｅｌｌの各々で提供されるＲＡＮ補助情報を利用できる。すなわち、ＵＥは、ＭｅＮＢ及びＳｅＮＢのＰＣｅｌｌ、ＰＳＣｅｌｌ、及びＳＣｅｌｌの測定された結果をＭｅＮＢ及びＳｅＮＢのＰＣｅｌｌ、ＰＳＣｅｌｌ、及びＳＣｅｌｌに対するＲＡＮ補助情報と各々比較する。例えば、ＰＣｅｌｌの測定された結果は、ＰＣｅｌｌに対して提供されるＲＡＮ補助情報と比較されることに対し、ＳＣｅｌｌの測定された結果は、ＳＣｅｌｌに対して提供されるＲＡＮ補助情報と比較される。例えば、ＰＳＣｅｌｌの測定された結果は、ＰＳＣｅｌｌに対して提供されるＲＡＮ補助情報と比較される。このような方法は、３ＧＰＰからＷＬＡＮへのトラフィックステアリング及びその反対の場合に適用されることができる。付加的に、ＭｅＮＢ／ＳｅＮＢのＰＳＣｅｌｌ及び／又はＳＣｅｌｌが構成されないか、または非活性化される場合に、ＵＥは、ＰＣｅｌｌに対して提供されるＲＡＮ補助情報を利用できる。付加的に、ＤＣの場合に、ＳｅＮＢのＳＣｅｌｌが構成されないか、または非活性化され、それに対し、ＰＳＣｅｌｌが構成され、活性化される場合に、ＵＥは、ＰＳＣｅｌｌに対して提供されるＲＡＮ補助情報を利用できる。
【０１１６】
（２）ＭｅＮＢのＰＣｅｌｌとの比較
【０１１７】
ネットワークは、ＲＡＮ補助情報をＰＣｅｌｌでの放送／専用シグナリングを介して提供する。ネットワークは、ＲＡＮ補助情報を、ＰＳＣｅｌｌ及びＳＣｅｌｌのうち、他の１つ以上のサービングセルでの放送シグナリングを介して提供することができる。しかし、ＵＥは、ＰＣｅｌｌで提供されるＲＡＮ補助情報のみを利用し、ＰＣｅｌｌの測定された結果をＰＣｅｌｌで提供されるＲＡＮ補助情報と比較する。言い換えれば、ＵＥは、ＭｅＮＢ及びＳｅＮＢのＳＣｅｌｌだけでなく、ＰＳＣｅｌｌで提供されるＲＡＮ補助情報を無視する。このような方法は、３ＧＰＰからＷＬＡＮへのトラフィックステアリング及びその反対の場合に適用されることができる。
【０１１８】
図９は、本発明の一実施形態に係るトラフィックステアリングのための条件を評価するための方法の一例を図示する。
【０１１９】
ステップＳ４００においてＵＥは、ＰＣｅｌｌ上でＲＡＮ補助情報を受信する。ＲＡＮ補助情報は、放送シグナリングまたは専用シグナリングを介して受信されることができる。
【０１２０】
ステップＳ４１０においてＵＥは、受信されたＲＡＮ補助情報に基づいてＰＣｅｌｌに対してのみトラフィックステアリングに対する３ＧＰＰ関連条件を評価する。ＵＥは、キャリアアグリゲーションによりＰＣｅｌｌと少なくとも１つのＳＣｅｌｌで構成されることができる。または、ＵＥは、二重接続によりＭｅＮＢ及び／又はＳｅＮＢのＰＣｅｌｌ、ＰＳＣｅｌｌ、及びＳＣｅｌｌで構成されることができる。
【０１２１】
トラフィックをステアリングするための３ＧＰＰ関連条件がＰＣｅｌｌに対して満たされる場合、サービングセルにオフロード可能なトラフィックがあれば、ＵＥは、サービングセルとＷＬＡＮとの間のトラフィックステアリングを行うことができる。サービングセルは、ＰＣｅｌｌでありうるか、またはＰＣｅｌｌでない、他のサービングセルでありうる。すなわち、ＰＣｅｌｌでない、他のサービングセルのトラフィックは、ＰＣｅｌｌとＰＣｅｌｌに対してのみ受信されるＲＡＮ補助情報の条件に基づいてステアリングされることができる。
【０１２２】
（３）ＰＣｅｌｌとＰＳＣｅｌｌとの比較
【０１２３】
ネットワークは、ＰＣｅｌｌとＰＳＣｅｌｌでの放送／専用シグナリングを介してＲＡＮ補助情報を提供する。ネットワークは、ＭｅＮＢ及び／又はＳｅＮＢのＳＣｅｌｌでの放送シグナリングを介してＲＡＮ補助情報を提供できる。しかし、ＵＥは、ＰＣｅｌｌとＰＳＣｅｌｌで提供されるＲＡＮ補助情報のみを利用し、ＰＣｅｌｌとＰＳＣｅｌｌの測定された結果をＰＣｅｌｌとＰＳＣｅｌｌで提供されるＲＡＮ補助情報と各々比較する。トラフィックステアリングのための３ＧＰＰ関連条件がＰＣｅｌｌに対して満たされれば、ＭｅＮＢのサービングセルでオフロード可能なトラフィックがあれば、ＵＥは、ＭｅＮＢのサービングセルとＷＬＡＮとの間でのトラフィックステアリングを行う。トラフィックステアリングのための３ＧＰＰ関連条件がＰＳＣｅｌｌに対して満たされれば、ＳｅＮＢのサービングセルでオフロード可能なトラフィックがあれば、ＵＥは、ＳｅＮＢのサービングセルとＷＬＡＮとの間でのトラフィックステアリングを行う。オフロード可能な分離された（ｓｐｌｉｔ）ベアラに対して、トラフィックステアリングのための３ＧＰＰ関連条件が（ＰＣｅｌｌまたはＰＳＣｅｌｌ）または（ＰＣｅｌｌとＰＳＣｅｌｌ）に対して満たされれば、ＵＥは、ＭｅＮＢのサービングセルでオフロード可能なトラフィックがあれば、ＭｅＮＢのサービングセル間でトラフィックステアリングを行う。ＵＥは、ＭｅＮＢ及びＳｅＮＢのＳＣｅｌｌで提供されるＲＡＮ補助情報を無視する。このような方法は、３ＧＰＰからＷＬＡＮへのトラフィックステアリングとその反対の場合に適用されることができる。付加的に、ＰＳＣｅｌｌが構成されないか、または非活性化されるならば、ＵＥは、ＷＬＡＮから３ＧＰＰへのステアリングのためにＰＣｅｌｌから提供されるＲＡＮ補助情報を利用できる。
【０１２４】
（４）ＷＬＡＮからのステアリングのための（ＭｅＮＢの）ＰＣｅｌｌとの比較
【０１２５】
３ＧＰＰからＷＬＡＮへのトラフィックステアリングのために、前述された（１）、（２）、及び（３）のオプションのうち、１つが使用され得る。
【０１２６】
ＷＬＡＮから３ＧＰＰへのトラフィックステアリングのために、ＵＥは、ＰＣｅｌｌで提供されるＲＡＮ補助情報のみを利用し、ＰＣｅｌｌの測定された結果をＰＣｅｌｌで提供されるＲＡＮ補助情報と比較する。３ＧＰＰ関連条件がＰＣｅｌｌに対して満たされる場合、ＵＥは、ＷＬＡＮのトラフィックをＰＣｅｌｌへステアリングする。ＵＥは、ＭｅＮＢ及びＳｅＮＢのＳＣｅｌｌだけでなく、ＰＳＣｅｌｌで提供されるＲＡＮ補助情報を無視する。
【０１２７】
（５）ＷＬＡＮからのステアリングのためのＰＣｅｌｌ及び／又はＰＳＣｅｌｌとの比較
【０１２８】
３ＧＰＰからＷＬＡＮへのトラフィックステアリングのために、前述された（１）、（２）、及び（３）のオプションのうち、１つが使用され得る。
【０１２９】
ＷＬＡＮから３ＧＰＰへのトラフィックステアリングのために、ＵＥは、ＰＣｅｌｌとＰＳＣｅｌｌとの各々で提供されるＲＡＮ補助情報のみを利用する。言い換えれば、ＵＥは、ＭｅＮＢ及びＳｅＮＢのＳＣｅｌｌでのＲＡＮ補助情報を無視する。ＷＬＡＮからＭｅＮＢへのトラフィックステアリングのために、ＵＥは、ＭｅＮＢのＰＣｅｌｌで提供されるＲＡＮ補助情報のみを利用することに対し、ＷＬＡＮからＳｅＮＢへのトラフィックステアリングのために、ＵＥは、ＰＳＣｅｌｌで提供されるＲＡＮ補助情報のみを利用する。３ＧＰＰ関連条件がＰＣｅｌｌに対して満たされる場合、ＵＥは、ＷＬＡＮのトラフィックをＭｅＮＢのＰＣｅｌｌへステアリングする。３ＧＰＰ関連条件がＰＳＣｅｌｌに対して満たされる場合、ＵＥは、ＷＬＡＮのトラフィックをＳｅＮＢのＰＳＣｅｌｌへステアリングする。ＵＥは、比較するサービングセルを自発的に決定する。代案的に、ＵＥは、前記トラフィックがこれからステアリングされるサービングセルに関するトラフィック情報を格納する。そして、ＵＥは、トラフィックが属するＭｅＮＢのＰＣｅｌｌ及び／又はＳｅＮＢのＰＳＣｅｌｌを比較する。付加的に、ＰＳＣｅｌｌが構成されないか、または非活性化される場合、ＵＥは、ＰＣｅｌｌから提供されるＲＡＮ補助情報を利用できる。
【０１３０】
（６）ネットワーク指示
【０１３１】
ネットワークは（ＭｅＮＢ及びＳｅＮＢの）、ＰＣｅｌｌ、ＰＳＣｅｌｌ、及びＳＣｅｌｌで放送／専用シグナリングを介してＲＡＮ補助情報を提供する。また、ネットワークがＵＥに対してセル（ＭｅＮＢ及びＳｅＮＢのＰＳＣｅｌｌ及び／又はＳＣｅｌｌ）を構成する場合に、ネットワークは、トラフィックステアリングがそれぞれのサービングセルで許されるか否かを指示する。サービングセルでオフロード可能なトラフィックがあるにもかかわらず、サービングセルでトラフィックステアリングが許されなければ、ＵＥは、サービングセルからＷＬＡＮにトラフィックを調整しない。トラフィックステアリングが許されるならば、ネットワークは、ＵＥがＲＡＮ補助情報をこれから受信しなければならず、そして、ＵＥがしきい値をこれと比較しなければならないサービングセルをさらに指示できる。
【０１３２】
図１０は、本発明の一実施形態に係るＲＡＮ補助情報を扱うための方法の一実施形態を図示する。ステップＳ５００においてＵＥは、少なくとも１つのセルでＲＡＮ補助情報を受信する。ステップＳ５１０においてＵＥは、少なくとも１つのセルでＲＡＮ補助情報を利用する。ＣＡまたはＤＣが構成される場合に、前述された様々な方法等が前記ＲＡＮ補助情報を扱うために適用され得る。
【０１３３】
図１１は、本発明の実施形態が実現される無線通信システムを示す。
【０１３４】
ｅＮＢ（８００）は、プロセッサ（ｐｒｏｃｅｓｓｏｒ；８１０）、メモリ（ｍｅｍｏｒｙ；８２０）、及びＲＦ部８３０を備えることができる。プロセッサ８１０は、本明細書において説明された機能、過程、及び／又は方法を実現するように構成されることができる。無線インターフェースプロトコルの階層は、プロセッサ８１０により実現されることができる。メモリ８２０は、プロセッサ８１０と連結され、プロセッサ８１０を駆動するための様々な情報を格納する。ＲＦ部８３０は、プロセッサ８１０と連結され、無線信号を送信及び／又は受信する。
【０１３５】
ＵＥ（９００）は、プロセッサ９１０、メモリ９２０、及びＲＦ部９３０を備えることができる。プロセッサ９１０は、本明細書において説明された機能、過程、及び／又は方法を実現するように構成されることができる。無線インターフェースプロトコルの階層は、プロセッサ９１０により実現されることができる。メモリ９２０は、プロセッサ９１０と連結され、プロセッサ９１０を駆動するための様々な情報を格納する。ＲＦ部９３０は、プロセッサ９１０と連結され、無線信号を送信及び／又は受信する。
【０１３６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。ＲＦ部８３０、９３０は、無線周波数信号を処理するためのベースバンド回路を備えることができる。実施形態がソフトウェアで実現されるとき、前述した技術は、前述した機能を果たすモジュール（過程、機能など）で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段でプロセッサ８１０、９１０と連結されることができる。
【０１３７】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
0006549157.tif 000002
【図２】
0006549157.tif 000003
【図３】
0006549157.tif 000004
【図４】
0006549157.tif 000005
【図５】
0006549157.tif 000006
【図６】
0006549157.tif 000007
【図７】
0006549157.tif 000008
【図８】
0006549157.tif 000009
【図９】
0006549157.tif 000010
【図１０】
0006549157.tif 000011
【図１１】
0006549157.tif 000012